Podtech/llm-jp-corpus-v4-ja_patent huggingface dataset:
(57)【要約】【課題】歯間溝方向に沿って効率良く、かつ広い範囲にわたってブラシを動かすことを、歯の外側だけでなく内側に対しても容易に行なうことを可能する歯ブラシにより、従来型の歯ブラシより効率良く歯の清掃を行う。【解決手段】毛束植毛領域を矩形とした場合、毛束植毛領域の長辺方向に平行ではなく、垂直方向に把持部を有し、かつ毛束が植毛されている台座部分が、植毛側ならびに非植毛側の両方に湾曲する機構をもつ歯ブラシである。矩形の毛束植毛領域の長辺方向が把持部に対して垂直方向に配置され、かつ、把持部の軸上に毛束植毛領域の中心が配置される位置関係であるため、把持部の軸方向の往復運動に対して広い面積の歯の清掃が可能となる。また、毛束が植毛されている台座部分が、植毛側ならびに非植毛側の両方に湾曲する機構を持つため、歯外側（凸形状）ならびに歯内側（凹形状）の両方に対して毛束植毛領域の長辺方向の広い範囲で毛束が歯に垂直に近い角度で接するのを確保する。【選択図】図１
2009201951.tif 000002
【特許請求の範囲】
【請求項１】
毛束植毛領域の長手方向に平行ではなく、垂直方向に把持部を有する熊手形状に似た歯ブラシ
【請求項２】
毛束が植毛されている台座部分が、植毛された面ならびに植毛されてない面の両方に湾曲する機能を有する歯ブラシ
【発明の詳細な説明】
【技術分野】
【０００１】本発明は、毛束植毛領域を矩形とした場合、毛束植毛領域の長辺方向に平行ではなく、垂直方向に把持部を有し、かつ毛束が植毛されている台座部分が、植毛側ならびに非植毛側の両方に湾曲する機構をもつ歯ブラシである。矩形の毛束植毛領域の長辺方向が把持部に対して垂直方向に配置され、かつ、把持部の軸上に毛束植毛領域の中心が配置される位置関係であるため、把持部の軸方向の往復運動に対して広い面積の歯の清掃が可能となる。また、毛束が植毛されている台座部分が、植毛側ならびに非植毛側の両方に湾曲する機構を持つため、歯外側（凸形状）ならびに歯内側（凹形状）の両方に対して毛束植毛領域の長辺方向の広い範囲で毛束が歯に垂直に近い角度で接するのを確保する。
【背景技術】
【０００２】従来の歯ブラシは毛束植毛領域を矩形とした場合、毛束植毛領域の長辺方向に平行またはほぼ平行に把持部が配置されているため、歯間溝部分を清掃するには歯の並びに対して把持部を平行にし、ａ）ローリング方式（毛束の動きは把持部軸に対して回転運動するため、歯間溝方向に対して平行方向に毛束を動かして清掃）またはｂ）バス方式（毛束の動きは把持部軸に対して軸方向に往復運動するため、歯間溝方向に対して垂直方向に毛束を動かして清掃）で行なうか、または歯のならびに対して把持部を垂直にし、ｃ）「バス」方式（毛束の動きは把持部軸に対して軸方向に往復運動するため、歯間溝方向に対して平行方向に毛束を動かして清掃）が考えられる。バス方式の方がローリング方式に比べて手首を固定した動作のため、作業がしやすい。その点上記ｂ）、ｃ）の方式に優位点があるが、ｂ）は毛の動きが歯並びに対して平行であるため、歯間溝部分の清掃はｃ）の方式に対して劣る。但しｃ）方式では、従来の歯ブラシでは、毛束植毛領域の短辺が清掃可能範囲となる為、清掃効率が悪い。
その点本発明の歯ブラシは、把持部軸方向の往復運動で毛束植毛領域の長辺を清掃可能範囲とすることができるので、作業性に優れると同時に、１回の把持部軸方向の往復運動で広い範囲の清掃を可能にする。
これまでも毛束植毛領域を矩形とした場合、毛束植毛領域の長辺方向に平行ではない角度に把持部を配置する試みがなされているが（特許文献１、特許文献２）いずれも把持部の軸上に毛束植毛領域の中心を配置していないため、清掃作業の安定性に欠ける。
【特許文献１】特許公開平７−２１３３３９歯ブラシ（把持部の先端部位を左右両方向へ所定角度回動させることの出来る）
【特許文献２】実用新案公開平６−８６５６４歯ブラシ（折曲可能な歯ブラシ）更に本発明では、毛束が植毛されている台座部分が、植毛側ならびに非植毛側の両方に湾曲する機構を持つため、歯外側（凸形状）ならびに歯内側（凹形状）の両方に対して毛束植毛領域の長辺方向の広い範囲で毛束が歯に垂直に近い角度で接するのを確保する。
【発明の開示】
【発明が解決しようとする課題】
【０００３】歯間溝方向に沿って効率良く、かつ広い範囲にわたってブラシを動かすことを、歯の外側だけでなく内側に対しても容易に行なうことを可能する歯ブラシにより、従来型の歯ブラシより効率良く歯の清掃を行う。
【発明の効果】
【０００４】従来の歯ブラシでは手間をかけて清掃しなければ、きれいにしづらかった歯間溝部分の清掃が、作業のしやすい把持部軸方向の往復運動で、かつ、複数の歯に対して一度に実施できることから、歯磨きの効率が上がる。作業がしやすいため、子供でも容易に歯の清掃ができる。短時間の清掃作業で従来の歯ブラシでの作業と同等の効果が得られる。
【発明を実施するための最良の形態】
【０００５】毛束が植毛されている台座部分と把持部は一体構造をなしており、毛束が植毛されている台座部分から把持部にかけて徐々に幅が狭くなるような形状で、輪郭は熊手の形状に類似する。毛束が植毛されている台座部分の材質は台座部分が植毛側と非植毛側の両方向に湾曲するに十分な柔軟性を有し、かつ歯や、歯茎に対してブラシが接して適度な圧力がかかった際に台座を保持できるだけの剛性をもつ材質を使用する。構造は柔軟性を確保した一枚板形状や、台座部分を波状に加工することにより柔軟性を確保することも可能。
【図面の簡単な説明】
【０００６】
【図１】「本発明装置の外観を示した見取り図である。」
【図２】「図１の断面Ａを示した図である。」
【符号の説明】
【０００７】断面Ａは毛束が植毛されている台座部品の詳細説明を行っている図２の断面箇所を示している。
Ｂは毛束植毛側からの、Ｃは毛束非植毛側からの力の向きを示す。
【図１】
2009201951.tif 000003
【図２】
2009201951.tif 000004
(57)【要約】【課題】  食事の時に、食器の中の料理をすくいやすくする食事補助具を提供する。【解決手段】  食器のふちに取り付ける支えを設け、この支えの上部に突起をつけることを特徴とする食事補助具。【選択図】図４
2009201959.tif 000002
【特許請求の範囲】
【請求項１】
食器のふちに取り付ける支えを設け、この支えの上部に突起をつける事により、食器の中の料理をすくいやすくすることを特徴とする食事補助具。
【発明の詳細な説明】
【技術分野】
【０００１】  本発明は、食事の時に、食器の中の料理をすくいやすくする食事補助具に関するものである。
【背景技術】
【０００２】  従来、幼児や介助の必要な人が一人で食事をすると、食器から料理がこぼれ、本人ももどかしく、後片付けも大変になった。
なお、食器のふちに出っ張りをつけ、料理がすくいやすい形状になっている食器の発明は知られている。
【発明の開示】
【発明が解決しようとする課題】
【０００３】  そのために、次のような問題点があった。
（イ）料理を食べようとする人がイライラし、一人で食べる意欲が低下する。
（ロ）こぼれた料理が無駄になり、周辺に汚れが付着し、後片付けに時間と労力がかかる。
（ハ）料理がすくいやすい形状の専用食器は、高価なうえに、うまく料理をすくえない本人しか使えない為、手軽に使用できない。
【問題を解決するための手段】
【０００４】  食器のふちに取り付ける支え、または、フックやクリップで補強された支えを設け、この支えの上部に突起をつける。以上を特徴とする食事補助具である。
【発明の効果】
【０００５】本発明は、手持ちの食器に取り付ける事により、専用の高価な食器を購入しなくても、料理をすくいやすくして、食べる人のもどかしさを解消し、一人でこぼさず食べられる。
また、周辺に付着する汚れの後片付けの労力を減らすことができる。
【発明を実施するための最良の形態】
【０００６】以下、本発明の実施の形態を説明する。
食器をはさむ形状の支え（１）の上部に突起（２）を設ける。
本発明は、以上のような構造で、これを使用するときは、料理の入った食器のふちに支え（１）を取り付け、料理を突起（２）部分にむかってすくい、突起（２）部分で料理をおさえられるようにすることで、料理が食器の外にこぼれない。【０００７】  また、図３に示すように、支え（１）をフックやクリップ（３）で補強して使用することもできる。
【図面の簡単な説明】
【０００８】
【図１】  本発明の斜視図
【図２】  本発明の背面を示す斜視図
【図３】  本発明の実施例を示す斜視図
【図４】  本発明の使用状態を示す斜視図
【符号の説明】
【０００９】  １  支え
２  突起
３  フックやクリップ
【図１】
2009201959.tif 000003
【図２】
2009201959.tif 000004
【図３】
2009201959.tif 000005
【図４】
2009201959.tif 000006
(57)【要約】【課題】  従来からのおはじきゲームはおはじき同士を当てて相手のおはじきを取るゲームで、１打毎に戦況が変化する面白さに欠け、おはじき自体が小さく扱いにくい等の特徴があった。また、コンバットサッカーゲームは相手の駒やボールを直接はじくことができず、１回の勝負で得点差は発生しない。【解決手段】  ２色（例えば白と黒）のおはじき駒を各競技者が２０個（４人２チームの場合は１０個）持ち、ゲーム盤上で１個づつ交互に駒をはじき、相手の駒に当てるか、得点エリア外にはじき出し、最後に残った駒の得点合計が多い方を勝ちとする、陣取りをするゲームを提供する。【選択図】図１
2009201950.tif 000002
【特許請求の範囲】
【請求項１】
２人又は４人の競技者が専用のゲーム盤上で交互に指で駒をはじき相手の駒をはじき出すか有利な位置へ駒をはじいて得点エリアに残った駒の合計点数差で勝負を争うゲーム。
【請求項２】
上記ゲームのゲーム盤。
【発明の詳細な説明】
【技術分野】
【０００１】  本発明はゲーム盤上で２人又は４人で行うゲームに関するものである。
【背景技術】
【０００２】  おはじきをはじき、相手のおはじきを取る従来からのおはじきゲームがあった。
また、２人のプレーヤーがゲーム盤上に配置したおはじきの駒とボールをはじいてサッカーをしながら互いの駒を殺し合うゲーム（コンバットサッカーゲーム）がある。
【発明の開示】
【発明が解決しようとする課題】
【０００３】  従来からのおはじきゲームは次の点が指摘できる。
（１）ゲーム盤が無く、細かい規則も無い為に、ゲームが単純である。
（２）競技エリアが一定ではなく、相手の駒を競技エリア外にはじき出す醍醐味が無い。
（３）１打毎に戦況が変化する面白さに欠ける。
（４）おはじき自体が小さく扱いにくい。
また、コンバットサッカーゲームは相手の駒やボールを直接はじくことができず、１回の勝負で得点差は発生しない。【０００４】  以上を解決して、敵の駒を排除しながら、如何に敵の攻撃を避けて自分の駒を多く好位置に残すかを競うのが本ゲームの発明の課題である。
【課題を解決するための手段】
【０００５】  ２人又は４人の競技者が専用ゲーム盤上で順番に自分の駒をはじき相手の駒に当てて、相手の駒を得点エリア外へはじき出したり、有利な位置へ駒をはじいて得点エリアに残った駒の合計点数差で勝負を争うゲームである。
このゲームは以下の物を用いて行われる。
ゲーム盤（１）
駒に用いるおはじき２色分けして各２０個、合計４０個（２）
【発明の効果】
【０００６】  従来のおはじきゲーム及びコンバットサッカーゲームとの相違を示す。
（１）ゲーム盤を使い、規則を設け、ゲームを複雑にしている。
（２）競技エリアを設け、相手の駒を競技エリア外にはじき出す醍醐味がある。
（３）１打毎に戦況が変化する。
（４）おはじきとなる駒が大きく扱い易い。
（５）得点差で勝負を争うゲームである。
【発明を実施するための最良の形態】
【０００７】以下に本発明の形態について説明する。
（イ）２人の競技者又は４人が２チームになって競技する。
（ロ）２色（例えば白と黒）の駒（２）を各競技者が２０個（４人２チームの場合は１０個）持ち、１個づつ交互に円盤内の打ち出しエリア（３）から指で駒をはじき、円盤内の得点エリア（４）にある相手の駒に当てるか、得点エリア外にはじき出す。打ち出しエリア（３）は競技者の手前、打ち出し限界線（５）内の１／４円弧内とする。対戦前の自分の駒はゲーム盤の駒入れ（６）に格納しておく。
（ハ）得点エリアは円盤内に４区画あり、中央になる程得点が高くなる。中央のエリア（穴）に入った場合は、得点を覚えておき、駒を穴から出し、集計時に加算する。得点エリアには、陣営の駒を相手の攻撃から守るため、又、駒当てを難しくするための６本の妨害釘（７）を設けてある。
（ニ）はじいた駒が得点エリアの相手の駒に当たらなければ、はじいた駒は無効となり、得点エリア外に排除する。（直接当たらなくても間接的に当たれば有効とする）
（ホ）得点エリアに相手の駒がない場合は任意な得点エリアにはじくことができる。
（ヘ）最後に残った駒の得点合計が多い方を勝ちとする。
【図面の簡単な説明】
【０００８】
【図１】ゲーム盤外観図
【図２】ゲーム盤平面図、対戦者配置図及び断面図
【符号の説明】
【０００９】  １  ゲーム盤
２  おはじきとなる駒
３  打ち出しエリア
４  得点エリア
５  打ち出し限界線
６  駒入れ
７  妨害釘
【図１】
2009201950.tif 000003
【図２】
2009201950.tif 000004
(57)【要約】      （修正有）【課題】天台烏薬入り葛菓子を提供する。【解決手段】１）天台烏薬の葉を蒸気で蒸し、乾燥させて微粉末にする。２）次に吉野本葛をミキサーで粉砕してふるいにかけ、同時に片栗、寒梅粉、塩もふるいにかける。３）１）と２）を混合させ乾燥機で１５時間乾燥させる。４）その後３）をよくかき混ぜふるいにかける。【効果】天台烏薬の葉を微粉末にすることによって、煎じる手間が省けると同時に天台烏薬の葉の全てを摂取することができる。また烏薬湯は菓子の葛湯と混ぜ合せる事によって、苦味や臭みの強い天台烏薬が摂取しやすくなる。【選択図】なし【特許請求の範囲】
【請求項１】
不老長寿の霊薬と云われている霊木「天台烏薬」の葉の粉末を使用し、天台烏薬２０％、砂糖５２％、吉野本葛２０％、片栗４％、寒梅粉４％、粉末餡１０％、塩少々を粉末状に混ぜ合わせて乾燥させた葛菓子。
【発明の詳細な説明】
【技術分野】
【０００１】
本発明は、天台烏薬を使用した葛菓子に関する。
【背景技術】
【０００２】
天台烏薬と葛湯を混ぜ合わせた製品（請求項１参照）にお好みの砂糖を入れ、
お湯を注いで飲んで頂くと良い。
【発明の開示】
【発明が解決しようとする課題】
【０００３】
１、天台烏薬は現在迄、漢方薬としてしようされている。
２、現在天台烏薬を使用している葛菓子はない。
【課題を解決するための手段】
【０００４】
１、天台烏薬の粉末を配合量全体に対して２０％配合することによって
天台烏薬入り葛菓子を作ることが出来る。
その他、原材料として砂糖、吉野本葛、片栗、寒梅粉、粉末餡、塩を入れることも出来る。
【発明の効果】
【０００５】
実施の形態を行うことによって天台烏薬を使った葛菓子が出来た。
イ  天台烏薬の葉を微粉末にすることによって、従来天台烏薬の葉や根を煎じて摂取していた手間が省けると同時に天台烏薬の葉の全てを摂取することが出来る。
ロ  １００度の乾燥室で１５時間乾燥させる事により製品の乾燥と同時に雑菌の繁殖を防ぐ事が出来る。
ハ  −３２度の急速冷凍により、天台烏薬の微生物を滅菌する。
ニ  天台烏薬の根や葉の薬効は大学などで実証されているが、全て天台烏薬の根や葉を煎じて使用されたものである。当店の製品は葉全てを粉末状にし使用することにより大学で実証されている薬効を菓子として容易に摂取することが出来る。
また、吉野本葛を使用することにより腎臓病の予防や治療が期待できる。
【発明を実施するための最良の形態】
【０００６】
イ  先ずは天台烏薬の葉を蒸気で蒸し、乾燥させて微粉末にする。
ロ  次に吉野本葛をミキサーで粉砕してふるいにかけ、同時に片栗、寒梅粉、塩もふるいにかける。
ハ  イとロを混合させ乾燥機で１５時間乾燥させる。
ニ  その後ハをよくかき混ぜふるいにかける。
【０００７】
【表１】
2009201417.tif 000002
(57)【要約】【課題】噴霧器と折りたたみ式の糞受けが一体となった犬の噴霧式糞尿処理機を提供する。【解決手段】円筒型の噴霧器の端に折りたたみ式の糞受けを設け、糞受けに色付きビニール袋を取り付けたことを特徴とする犬の噴霧式糞尿処理機。【選択図】図１
2009201497.tif 000002
【特許請求の範囲】
【請求項１】
円筒型の噴霧器の端に折りたたみ式の糞受けを設け、糞受けに色付きビニール袋を取り付けたことを特徴とする犬の噴霧式糞尿処理機。
【発明の詳細な説明】
【技術分野】
【０００１】  本発明は、犬の散歩時の糞尿の後始末をする噴霧式糞尿処理機に関するものである。
【背景技術】
【０００２】  従来、糞を処理するとき地面に落ちてから拾い上げていた。また、尿はそのまま放置されていた。
【発明の開示】
【発明が解決しようとする課題】
【０００３】  そのために、次のような問題点があった。
（イ）地面にした糞を拾い上げるとき地面にこびりついたり手に付着したりして不衛生であった。
（ロ）道路標識や鉄製柵などが尿で腐敗し倒壊する事故が発生し社会問題となっている。
（ハ）夜間の使用時に目標物が定まらない。
本発明は、これらの問題を解決するためになされたものである。
【課題を解決するための手段】
【０００４】円筒型の噴霧器の端に折りたたみ式の糞受けを設け、糞受けに色付きビニール袋を取り付けたことを特徴とする犬の噴霧式糞尿処理機。
【発明の効果】
【０００５】  地面に落ちる前に糞を受けることが出来るので地面が汚れない。道路標識や鉄製柵などに付いた尿を噴霧器で洗い流せるので、尿による腐敗を防止する効果がある。ライトを点灯することで夜間の操作がしやすくなる。
【発明を実施するための最良の形態】
【０００６】  以下、本発明の実施の形態について説明する。
（イ）円筒型の噴霧器（１）の端に折りたたみ式の枠（２）を設ける。
（ロ）円筒型の噴霧器（１）にライトを設ける。
（ハ）折りたたみ式の枠（２）に袋止めフック（３）を設け、ビニール袋（４）を装着する。
本発明は以上の構成で、これを使用するときは、折りたたみ式の枠（２）の袋止めフック（３）にビニール袋（４）を装着し、円筒型の噴霧器（１）のキャップ（８）より水を入れ、取っ手（６）をピストン運動させ円筒型の噴霧器（１）内を加圧する。
犬が糞をするときに後方から折りたたみ式の枠（２）を差し入れ糞をキャッチし、折りたたみ封をする。尿が付着した場所に噴射口（５）を向け、スイッチ（７）を押し水をかけ洗い流す。
【図面の簡単な説明】
【０００７】
【図１】本発明の斜視図
【図２】本発明の一部を切り欠いた図
【図３】本発明の一部を切り出した図
【符号の説明】
【０００８】１円筒型の噴霧器
２枠
３袋止めフック
４ビニール袋
５噴射口
６取っ手
７スイッチ
８キャップ
９ライト
【図１】
2009201497.tif 000003
【図２】
2009201497.tif 000004
【図３】
2009201497.tif 000005
(57)【要約】  【課題】室内に侵入した虫を退治するには、蚊取り線香や薬品を蒸発させる方法が採られるが、煙や化学物質の発生により不快を感じる場合がある。  【解決手段】室内用虫取り網として、網の形状を四角とし、全長を５０〜１００ｃｍ程度と短くし、さらに網の中ほどに巾着のような容易に出口を閉じることが出来る構造を持たせた。【選択図】図１
2009201391.tif 000002
【特許請求の範囲】
【請求項１】
網の形状を丸ではなく四角とすることで、天井、壁、隅、カーテンに止まる虫も捕まえ易いことを特徴とする虫取り網。
【請求項２】
全長が５０〜１００ｃｍと短く、室内でも扱い易いことを特徴とする請求項１記載の虫取り網。
【請求項３】
網の中ほどには巾着のような容易に出口を閉じることが出来る構造を持ち、網の中に捕らえた虫を逃がさないことを特徴とする請求項1記載の虫取り網。
【発明の詳細な説明】
【技術分野】
【０００１】
本発明は、室内に侵入した虫を退治する方法として、虫取り網により捕獲し除去するものである。
【背景技術】
【０００２】
室内の蚊を退治するには、一般的に蚊取り線香や薬品を蒸発させる方法が採られる。
【０００３】
また、蝿を退治するには、一般的に蝿叩きが使用される。
【発明の開示】
【発明が解決しようとする課題】
【０００４】
しかし、蚊取り線香や薬品を蒸発させる方法が採られた場合には、煙や化学物質の発生により不快を感じる場合がある。さらに敏感な人は、過敏症を発症することもある。
【０００５】
また、蝿叩きを使用すると虫を潰すことになるため、壁等の室内が汚れる結果となる。
【０００６】
本発明は、このような従来の問題点を解決しようとするもので、煙や化学物質を発生させず、また、壁等を汚さないで室内の虫を退治する有効な手段となる室内用虫取り網を考案するものである。
【課題を解決するための手段】
【０００７】
網の形状を丸ではなく四角とすることで、天井、壁、隅、カーテンに止まる虫も、天井、壁、隅、カーテンと網の隙間が無くなる形状であるため逃がすことが少なく、捕まえ易くなる。
【０００８】
また、全長を５０〜１００ｃｍ程度と短くすることで、狭い室内でも振り回すことが可能であり、なおかつ天井にも届く長さとなる。
【０００９】
また、網の中ほどには巾着のような容易に出口を閉じることが出来る構造を持たせることで、出口を容易に塞ぐことが出来るため、網の中の虫を長時間逃がさずにおける。
【発明の効果】
【００１０】
本発明によれば、室内の虫を退治するために、蚊取り線香や薬品を蒸発させる方法を採る場合の煙や化学物質の発生による不快を感じることが無くなり、さらに敏感な人が発症する過敏症を抑えることが可能となる。
【００１１】
また、蝿叩きを使用する場合と違い、虫を潰すことで壁等の室内が汚れることが無くなり、部屋を清潔に保つことが可能となる。
【００１２】
また、網による捕獲のため生け捕ることになり、室外に逃がすことで虫を殺生しなくても済む。
【実施例１】
【００１３】
本発明の室内用虫取り網は、図1に示されるように、四角形の網１の形状とすることで、天井、壁、隅、カーテンに止まる虫も、天井、壁、隅、カーテンと網の隙間が無くなる形状となるため虫を逃がすことが少なく、捕まえ易くなる。
【００１４】
虫取り網の形状は一般的に丸であるが、この場合には室内の虫が止まる場所となる天井、壁、隅、カーテンとにどうしても隙間が発生し、その隙間から逃げられることになる。
【実施例２】
【００１５】
また、図1に示されるように、全長が５０〜１００ｃｍと短い２の長さとすることで、狭い室内でも振り回すことが可能であり、なおかつ天井にも届く長さとなる。
【００１６】
虫取り網の全長は一般的に１５０〜２００ｃｍであるが、この場合には飛んでいる虫の素早い動きに対処することは難しい。
【実施例３】
【００１７】
また、図２に示されるように、巾着のような容易に出口を閉じることが出来る構造４を持たせることで、出口を容易に塞ぐことが出来るため、網の中の虫を長時間逃がさないようにすることが可能である。
【００１８】
虫取り網の使用方法として、網を折り返して虫の逃げ道を塞ぐことは可能であるが、この場合には一時的に塞いでいるだけで、網の中の虫を長時間逃がさないようにすることは難しい。
【産業上の利用可能性】
【００１９】
上述の発明は、室内に侵入した虫を退治する方法として、室内用虫取り網として利用可能である。
【図面の簡単な説明】
【００２０】
【図１】室内用虫取り網の概略を示す図である。（実施例１・２）
【図２】巾着のような容易に出口を閉じることが出来る構造を示す図である。（実施例３）
【符号の説明】
【００２１】
１・・・四角形の網
２・・・全長が５０〜１００ｃｍと短い
３・・・柄
４・・・巾着のような容易に出口を閉じることが出来る構造
５・・・虫を閉じ込める空間
【図１】
2009201391.tif 000003
【図２】
2009201391.tif 000004
(57)【要約】【課題】太陽熱を用いた乾燥については、直接太陽光を調湿材に当てて乾燥させる方法がある。しかし、この方法では、調湿材の温度が６０度程度までしか上がらず、充分に乾燥させることができなかった。その乾燥空気の温度は、材が温まっているため上昇していまっていた。【解決手段】集熱板が太陽光を吸収し、高温面を形成する。この集熱板は、熱伝導率が高いので、そこに直接接する調湿材に、すばやく熱伝導し、調湿材を高温にし、充分に乾燥させる。雨に濡れ冷却されることや風により冷却されることのないように透光板を通して太陽光を集熱する。太陽光により充分乾燥した調湿材を、夜間まで放置し、調湿材の温度を下げ、さらに放射冷却により外気温より低温となっている集熱板によって、接する調湿材およびチャンバー内空気の両方の温度をさらに降下させながら導入空気を除湿して供給することができる。【選択図】図１
2009092363.tif 000002
【特許請求の範囲】
【請求項１】
透光板と、集熱板と、調湿材と空気の出入り口からなるチャンバーによって構成する太陽光調湿機
【発明の詳細な説明】
【技術分野】
【０００１】調湿機
【背景技術】
【０００２】太陽熱を用いた乾燥については、直接太陽光を調湿材に当てて乾燥させる方法がある。
【発明の開示】
【発明が解決しようとする課題】
【０００３】１．    太陽熱を用いた乾燥については、直接太陽光を調湿材に当てて乾燥させる方法が  ある。しかし、この方法では、調湿材の温度が６０度程度までしか上がらず、充分に乾  燥させることができなかった。
２．    太陽光によって乾燥させた調湿材によって空気を乾燥させると、材が温まってい  るため乾燥空気の温度も上昇させてしまっていた。
【課題を解決するための手段】
【０００４】１．    本発明では、いったん集熱板が太陽光を吸収し、９０度以上の高温面を形成する  。この集熱板は、熱伝導率が高いので、そこに直接、接する調湿材に、その熱をすばや  く伝え、調湿材を高温にし、充分に乾燥させることができる。
２．    本発明では、集熱板自体が、雨に濡れ冷却されることや風により冷却されること  のないように透光板を通して太陽光を集熱するので、集熱した太陽熱を無駄にせず、乾  燥に役立てることができる。
３．    本発明では、日中、太陽光により充分乾燥した調湿材を、夜間まで放置し、調湿  材の温度を下げ、さらに放射冷却により外気温より数度低くなっている集熱板によって  、それに接する調湿材およびチャンバー内空気の両方の温度をさらに降下させながら導  入空気を除湿して供給することができる。
【発明の効果】
【０００５】太陽光と夜間放射冷却を用い、温度を上昇させずにむしろ降下させ、充分に除湿した空気を供給する。また、目的に応じ、空気をさまざまな温度湿度状態に調整して供給する。今まで太陽光を用いた調湿は湿度５％程度までであった。この方法では２０％程度までの調整が可能であり、人間の生活環境以外のための、農業、工業分野での利用も可能とする。
【実施例１】
【０００６】＜イ＞全体の構成
調湿材１とその上部に接している集熱板２を内部に設置し、空気の出入り口３と、上部に透光板４を配置したチャンバー５からなる太陽光調湿機。
＜ロ＞調湿材１
常温から１２０度くらいの間で、吸湿、放湿を繰り返すことのできる材料。シリカゲルや、燃料用ペレット、木口切りの木材チップ、藁、イグサ、珪藻土などの調湿材を線状、粒状や板状にしたもの。
＜ハ＞集熱板２
熱伝導率の高いアルミ、銅などの金属板の太陽光の受ける面を黒色にし、集熱しやすくしたもの。
＜ニ＞空気の出入り口３
空気の入り口と出口の両方を設ける。空気の流れは目的に応じ反転させることもできる。
＜ホ＞透光板４
透明度が高く、さまざまな波長の光に対し透光率の高いガラスやアクリル板などの板。
＜ヘ＞チャンバー５
空気の出入り口以外からの水や湿気の浸入を排除したチャンバー。目的に応じ、断熱材等で覆うこともできる。
【図面の簡単な説明】
【０００７】
【図１】夏の昼間に乾燥材を乾燥している説明図
【図２】夏の夜間に外気の除湿冷却をしている説明図
【符号の説明】
【０００８】１  調湿材
２  集熱板
３  空気の出入口
４  透光板
５  チャンバー
【図１】
2009092363.tif 000003
【図２】
2009092363.tif 000004
(57)【要約】【課題】伸縮棒の構造を簡素で軽量なものとし、長さの調整及び固定が、短い間隔で可能な伸縮棒を提供することを目的とする。【解決手段】本伸縮棒は、筒１と当該筒１に収納される可動棒２と該筒１開口部に嵌合される固定キャップ３の三部品で構成され、簡素且つ軽量なものとなった。該伸縮棒は、約２８０ｍｍ〜約４８０ｍｍの範囲で伸縮可能であり、約８ｍｍの間隔にての長さ調整ができる構造に形成されている。【選択図】図１
2009092226.tif 000002
【特許請求の範囲】
【請求項１】
筒と該筒に収納される可動棒を有し、該筒開口部に固定キャップを嵌合したことを特徴とする伸縮棒。
【請求項２】
上記可動棒は、上記筒挿入側に抜け防止のための機能を、その反対側に他部品との接合機能を有し、又、中央部に上記固定キャップからの突出長さを調整するための凹凸形状を有する請求項１記載の伸縮棒。
【請求項３】
上記固定キャップと嵌合した上記筒は、上記可動棒を挿入した後、該筒の開口部を見て反時計回りに回転させることにより、該可動棒を固定できることを特徴とする請求項１、又は請求項２記載の伸縮棒。
【請求項４】
上記筒は開口部と反対側に、人の指での回転運動を容易にするための平板形状部分を有する請求項１、又は請求項２、又は請求項３記載の伸縮棒。
【請求項５】
上記固定キャップは、上記可動棒の凹部に勘合する様に、該可動棒挿入口側に凸部形状を、該固定キャップの筒の部分に、係止機能を有する請求項１、又は請求項２、又は請求項３、又は請求項４記載の伸縮棒。
【発明の詳細な説明】
【技術分野】
【０００１】本発明は、簡単な操作で所定の長さに調整及び固定可能な伸縮棒に関する。
【背景技術】
【０００２】従来より、調整可能な伸縮棒は提案されていた。
特許文献１及び特許文献２は、部品点数が多く構造も複雑であり、伸縮棒の長さを固定する位置が少なく、限られている。
【特許文献１】特開平６−１２９４１２号  公開特許公報
【特許文献２】特開平１０−３２５６９８号  公開特許公報
【発明の開示】
【発明が解決しようとする課題】
【０００３】本発明は、上記のような従来の課題を解決するものであり、構浩は簡素且つ軽量なものとし、長さの調整及び固定が、可動棒の凹部の数だけ可能な伸縮棒を提供することを目的とする。
【課題を解決するための手段】
【０００４】第１の発明は、筒と該筒に収納される可動棒を有し、該筒開口部に固定キャップを嵌合して構成したものである。【０００５】第２の発明は、第１の発明の改良に関するものであって、第１の発明における可動棒は、筒挿入側に抜け防止のための機能を、その反対側に他部品との接合機能を有し、又、中央部に凹凸形状を設け、固定キャップからの突出長さを調整するための手段を付加した伸縮棒である。【０００６】第３の発明は、第１の発明、又は第２の発明の改良に関するものであって、固定キャップと嵌合した筒は、可動棒を挿入した後、該筒の開口部を見て反時計回りに回転させることにより、該可動棒を固定できる手段を付加した伸縮棒である。【０００７】第４の発明は、第１の発明、又は第２の発明、又は第３の発明の改良に関するものであって、筒は開口部と反対側に、平板形状部分を設けたことにより、人の指での回転運動を容易にするための手段を付加した伸縮棒である。【０００８】第５の発明は、第１の発明、又は第２の発明、又は第３の発明、又は第４の発明の改良に関するものであって、固定キャップは、可動棒の凹部に嵌合する様に、該可動棒挿入口側に凸部形状を、該固定キャップの筒の部分に、係止機能の手段を付加した伸縮棒である。
【発明の効果】
【０００９】第１の発明の効果であるが、筒と該筒に収納される可動棒を有し、該筒開口部に固定キャップを嵌合する構成としたため、部品点数が３点と簡素且つ軽量なものである。【００１０】第２の発明の効果であるが、上記可動棒は、上記筒挿入側に抜け防止のための機能を、その反対側に他部品との接合機能を有し、又、中央部に凹凸形状を設けたことにより、上記固定キャップからの突出長さの調整を可能とすることができる。【００１１】第３の発明の効果であるが、上記固定キャップと嵌合した上記筒は、上記可動棒を挿入した後、該筒の開口部を見て反時計回りに回転させることにより、該可動棒を固定可能とすることができる。【００１２】第４の発明の効果であるが、上記筒は開口部と反対側に、平板形状部分を設けたことにより、容易に人の指での回転運動を可能とすることができる。【００１３】第５の発明の効果であるが、上記固定キャップは、上記可動棒の凹部に嵌合する様に、該可動棒挿入口側に凸部形状を、該固定キャップの筒の部分に、係止機能を有したものである。
【発明を実施するための最良の形態】
【００１４】以下、本発明の実施形態を図に従って説明する。
図１に示す様に、本伸縮棒は、筒１と当該筒１に収納される可動棒２と該筒１開口部に嵌合される固定キャップ３から形成されている。【００１５】図２に示す様に、伸縮棒は、約２８０ｍｍ〜約４８０ｍｍの範囲で伸縮可能であり、約８ｍｍの間隔にて長さ調整ができる構造に形成されている。【００１６】図３に第１実施例を示す。
可動棒２の先端部には、他部品との接合機能を有している。接合される部品に、接合されるための特定形状を有していれば、冶具を必要としない軽度な力で接合できる構造に形成されている。【００１７】図４に示す様に、筒１を矢印方向に約９０°回転させることにより軽度な力で、可動棒２の固定が可能となる構造に形成されている。同様に、筒１を矢印と反対方向に約９０°回転させることにより、固定解除が可能となる構造に形成されている。
【図面の簡単な説明】
【００１８】
【図１】伸縮棒の部品構成を示す説明図。
【図２】伸縮棒の伸ばした状態、縮めた状態を示す説明図。
【図３】第１実施例の使用状態を示す説明図。
【図４】伸縮棒の固定及び固定解除を示す斜視説明図。
【符号の説明】
【００１９】１    筒
２    可動棒
３    固定キャップ
【図１】
2009092226.tif 000003
【図２】
2009092226.tif 000004
【図３】
2009092226.tif 000005
【図４】
2009092226.tif 000006
(57)【要約】      （修正有）【課題】  流線型を多用し平滑な表面形状を持つ物体は高速域になると流体剥離現象を招き易く、騒音や流体抵抗が増大する。また、ゴルフボ−ル等では、表面が平滑であったり、大き過ぎるディンプルは流体抵抗の増大で飛距離も伸びない。【解決手段】  速度が速い魚ほどウロコが小さく、究極の高速度形状は、ザラついたイルカやマグロのような表皮形状に到達する。これは分子運動論上の臨界レイノルズ数を低下させる現象に合致している。そこで、複雑かつ様々な方向性を持つ流体抵抗の解消には流体特性に適応する表面形状が必要となり、微細で滑らかな円錐形突起で流体境界層を攪拌すれば流体抵抗は容易に解消できる。従って、移動体表面に微細な突起、例えば、微細で滑らかな円錐形突起を縦横に整然と並べ、その隙間に小さな円錐形突起を配置し、これらの大小の突起高さは一定とし、あらゆる流体が直線的にスリ抜け出来ない配置構成を設ければ流体抵抗は解消する。【選択図】図１
2009092227.tif 000002
【特許請求の範囲】
【請求項１】
移動体の表面に微細で滑らかな円錐形突起を設けることで、流体抵抗を解消する技術。
【発明の詳細な説明】
【技術分野】
【０００１】  流体力学に基づき、移動体表面に微細で滑らかな円錐形突起を設け、境界層の流体剥離を制御し、流体抵抗を解消する突起形状とその構成技術である。
【背景技術】
【０００２】  従来、移動体形状は流線型を多用し、表面を平滑に仕上げると、流体摩擦の減少に伴い、流体抵抗も減少するといわれてきた。
ところが、実際には高速域では流体剥離が発生する為、流体抵抗が増大する。
【発明の開示】
【発明が解決しようとする課題】
【０００３】  航空機、船舶、電車、自動車及び風力発電ブレ−ド等は、流線型を多用し平滑な表面形状を持つが、高速域になると平滑さが逆に流体剥離現象を招き易く、騒音や流体抵抗が増大するのが課題となっている。
また、テニスボ−ルやゴルフボ−ル等は、表面処理で流体抵抗の削減を図るが、平滑であったり、大き過ぎるディンプルは流体抵抗が増大し飛距離も伸びない。
従って、流体抵抗は流線型に加え、表面を平滑にする技術だけでは解決しない。
【課題を解決するための手段】
【０００４】  一般的に魚にはウロコがあるが、速度が速い魚ほどウロコが小さく、究極の高速度形状は、ザラついたイルカやマグロのような表皮形状に到達する。
これは分子運動論上の臨界レイノルズ数を低下させる現象に合致している。
そこで、複雑かつ様々な方向性を持つ流体抵抗の解消には、流体特性に適応した表面形状が必要となり、微細で滑らかな円錐形突起で流体境界層を攪拌すれば、流体抵抗は容易に解消できる。
従って、移動体表面に微細な突起（図１のように滑らかな円錐形突起を縦横に整然と並べ、その隙間に小さな円錐形突起を配置する。また、大小の突起高さは一定であり、あらゆる流体が直線的にスリ抜け出来ない配置構成）を設ければ流体抵抗は解消する。
【発明の効果】
【０００５】  本発明は流体と移動体の境界層に発生する流体剥離現象を解消する突起形状及び構成技術であり、様々な分野への応用が可能である。
また、風力発電ブレ−ド、プロペラ等の回転体、航空機、船舶、電車、自動車や各種配管及びホ−ス類や排水溝そしてスポ−ツウエアへの応用も望ましい。
【発明を実施するための最良の形態】
【０００６】  本発明は移動体表面の微細で滑らかな円錐形突起で、流体抵抗を解消するが、既存物や材質によっては同形状のシ−トを貼る事で、同様効果が見込める。
【実施例】
【０００７】（１）風力発電ブレ−ドへの活用
風力ブレ−ド表面に微細な円錐形突起を設けたり、同形状のシ−トを貼る。
高速域での空気剥離を制御できるから、空気剥離に伴う風切騒音が解消する。
（２）航空機や飛行体への活用
機体表面に微細な円錐形突起を設けたり、同形状のシ−トを貼る。
特に、高速域では流体抵抗削減効果が顕著に現われて燃費改善が期待できる。
（３）船舶等への活用
船体に微細な円錐形突起を設けたり、同形状のシ−トを貼る。
水際境界層の乱流を攪拌すれば、流体抵抗の減少により燃費改善を図れる。
（４）電車や自動車等への活用
電車や自動車外装に微細な円錐形突起を設けたり、同形状のシ−トを貼る。
空気剥離現象を制御する事で、燃費効率が改善され風切騒音も解消できる。
（５）各種配管や水路等への活用
流体の流送路に微細な円錐形突起を設けたり、同形状のシ−トを貼る。
微細突起による消波効果や乱流攪拌効果により、流送効率向上が見込める。
（７）スポ−ツウエア等への活用
スポ−ツウエア等の表面に微細で滑らかな円錐形突起を設ける。
乱流抑止や流体剥離現象が改善されるので、競技速度の向上が期待できる。
【産業上の利用可能性】
【０００８】  本発明は、およそ流体抵抗が生ずるすべてのものに応用可能である。
また、既存物でも同様形状シ−ト貼りが可能ならば、応用範囲は更に広がる。
【図面の簡単な説明】
【０００９】
【図１】  微細で滑らかな円錐形突起及び同形状シ−トの詳細図である。
【符号の説明】
【００１０】  １．微細で滑らかな円錐形突起又は同形状シ−ト
２．移動体や回転体等の躯体
【図１】
2009092227.tif 000003
(57)【要約】【課題】口臭は、口腔・内部疾患（潰瘍・癌）のみならず、精神的要因による対人恐怖症や自閉症に陥る原因ともなるので、口臭を簡便に、しかもゲーム感覚で風船を膨らませるだけで検出することができる。【解決手段】検出する方法は、検出用途に応じて一種或いは諸種に連接して構成された加工紙が口臭の成分を吸収して反応し変化した風船を外から見えることを特徴とする口臭検出用の風船。【選択図】図２
2009092638.tif 000002
【特許請求の範囲】
【請求項１】
折り畳んである風船の吹き口より息を入れ膨らませて、風船内の口臭を検出するための加工紙で作った口臭検出用の風船である。
【請求項２】
請求項１に記載の口臭を検出するための加工紙は、検出用途に応じて一種或いは諸種に連接して多種多用に構成され口臭検出用の風船となる。
【発明の詳細な説明】
【技術分野】
【０００１】    本発明は、口臭を採取して臭気の種類や酒気の量を検出するための加工紙を用いて構成された口臭検出用の風船に関する。
【背景の技術】
【０００２】  従来のリトマス試験紙のような紙片を用いて、呼気に含まれている成分を採取して検出する軽便な方法が、いくつか公開されている。
呼気を通気性シートによって測定する特開平２−２６２０５８号公報名称口臭テスター。同じように通気性部材を介して固定された試薬によって測定する特開２００１−３４９８８２名称呼気測定袋及び呼気測定具等である。
いずれも、またはこれに類する通気性シート或いは、通気性部材を、もし仮に、本発明の風船に用いたとしたら、呼気が通気してしまい風船は膨らまない。
風船が膨らまなければ口臭に含まれている成分を採取することは出来ない。
本発明の特徴である口臭検出用の風船は、風船が膨らむ程度の加工紙を用いて構成された口臭検出用の風船そのものだからである。
また、口臭に類する飲酒による酒気に関して公の機関では、呼気測定袋を膨らませ呼気を封止し、酒量の濃度を検出する方法は公知の事実である。
【０００３】
【特許文献１】特開平２−２６２０５８号公報  名称  口臭テスター
【特許文献２】特開２００１−３４９８８２    名称  呼気測定袋及び呼気測定具
【非特許文献１】  口臭（口臭  大辞林三省堂１９８８年１１月３日発行参照）（８２１頁１段目）口からはき出させる息の不快なにおい。歯や口腔の疾患に由来するものが多いが、ほかに糖尿病や食道・胃・肝臓などの疾患も原因となる。
【非特許文献２】  加工紙（加工紙  大辞林三省堂１９８８年１１月３日発行参照）（４４２頁２段目−２）化学的・機械的などの人工的処理を施して、もとの性質・色彩・光沢などを諸種の目的にそって変化させた紙。
【発明の開示】
【発明が解決しょうとする課題】
【０００４】  口臭は口からはき出させる息の不快なにおい。歯や口腔の疾患に由来するものが多いが、ほかに糖尿病や食道・胃・肝臓などの疾患（潰瘍・癌など）も原因となる。
飲酒による酒気も要因の一つとなる。また、ウイルスによる感染症も例外ではない。
【課題を解決するための手段】
【０００５】  この原因となる疾患や酒気は、口臭がもつそれぞれ特有の臭気の種類や酒気の量によって微妙に異なる。この異種を、折り畳んである風船の吹き口より直接、或いは間接的にはストローのような細管により息を入れて風船を膨らませて、風船内に含まれている臭気の種類や酒気の量を検出するための加工紙で作った口臭検出用の風船である
【０００６】  加工紙は、検出用途に応じて一種或いは諸種に連接して多種多用に構成されて口臭検出用の風船となる。
【発明の効果】
【０００７】  本発明の口臭検出用の風船は、折り畳んであるからより薄く、加工紙製であるからより軽く携帯に便利で検査は時と所を選ばない、しかも類似品に比べてはるかに安価である。
従来、口臭の検出は、検査される側も、検査する側も双方が人為的な臭覚によるもので極めて嫌厭感をともなう。また酒気の場合は故意に呼気を留めると口臭検出用の風船は膨らまない、従って是非を問わず膨らます結果となり呼気は確実に採取でき、酒気の検出を避けることは許されない。
【０００８】  口臭検出用の風船に印刷或いは署名することで、記録の保存も可能である。
また、使い捨てのため他の感染症も完全に防止でき極めて清潔であり衛生的である。
改めて、遊戯のための風船ではなく口臭検出用の風船である。然し遊戯として用いることも可能である。
【０００９】  口臭は、口腔・内部疾患のみならず、精神的要因による対人恐怖症や自閉症に陥る原因ともなるので、簡便に、しかもゲーム感覚で検出することができる。
検出方法は、検出用途に応じて一種或いは諸種に連接した加工紙が口臭成分を吸収して反応し変化した風船を外から見れば一目瞭然、詳しくは専門医に依頼も可能である。
【発明を実施するための最良の形態】
【実施例】
【００１０】  請求項２で述べた通り加工紙は、検出用途に応じて一種或いは諸種に連接して多種多用に構成されて口臭検出用の風船となる。
上記、条項で述べた、多種多用に構成された口臭検出用の風船の一つの例とし、実施例の上で風船の形態を球状とします。【００１１】  図１は、折り畳んである風船１【００１２】  図２、の吹き口２より息を入れて風船３を膨らませて、風船内に含まれている口臭４の種類や酒気の量を検出するために、検出用途に応じて一種或いは諸種に連接５した加工紙６を用いて構成された口臭検出用の風船である。
【産業上の利用可能性】
【００１３】先に、発明の効果の項００１０で述べたとおり、口臭は、口腔・内部疾患のみならず、精神的要因による対人恐怖症や自閉症に陥る原因ともなるので、簡便に、しかもゲーム感覚で風船を膨らませて検出することができ、検出方法は検出用途に応じて一種或いは諸種に連接した加工紙が口臭成分を吸収し反応して変化した風船を外から見れば一目瞭然である。
【図面の簡単な説明】
【００１４】
【図１】  折り畳んである風船の斜視図。
【図２】  吹き口より息を入れて風船を膨らませて斜視図。検出用途に応じて一種或いは諸種に連接した加工紙。
【符号の説明】
【００１５】１  折り畳んである風船。
２  吹き口。
３  風船を膨らませ。
４  口臭。
５  諸種に連接した。
６  加工紙。
【図１】
2009092638.tif 000003
【図２】
2009092638.tif 000004
(57)【要約】      （修正有）【課題】個々の電化製品ごとの電気使用料を測定し表示する測定器。【解決手段】第一の発明は、個々の電化製品に電気の使用料金を測定し表示する電気使用料金の測定器を設ける又は接続する。第二の発明は、電化製品のコンセントと建物のコンセカトとの間に電気使用料金を測定し表示するデシタルメータを設けた。第三の発明は、電化製品のコンセントと建物のコンセカトとの間に電気使用時間を測定し表示するデシタルメータを設けた。第四の発明は電化製品自体に電気使用料金を測定し表示する。第五の発明は、電化製品自体に電気使用時間を測定して表示する。【選択図】図１
2009092636.tif 000002
【特許請求の範囲】
【請求項１】
電化製品に電気使用料金を測定し表示する部分を設ける又は接続するとこを特徴とする電気使用料金の測定器。
【請求項２】
電化製品のコンセントと建物のコンセントの間に電気の使用料金を測定し表示するデジタルメーターを設けることを特徴とする請求項１記載の電気使用料金の測定器。
【請求項３】
電化製品のコンセントと建物のコンセント間に電気使用時間を測定し表示するデジタルメーターを設けることを特徴とする請求項１記載の電気使用料金の測定器。
【請求項４】
電化製品自体に電気使用料金を測定し表示を設けることを特徴とする請求項１記載の電気使用料金の測定器。
【請求項５】
電化製品自体に電気使用時間を測定し表示を設けることを特徴とする請求項１記載の電気使用料金の測定器。
【発明の詳細な説明】
【技術分野】
【０００１】  この発明は、電化製品の使用ごとの電気料金の測定に関する。
【背景技術】
【０００２】  従来の電気料金は月々の使用料は分かるが個々の電化製品に掛かる電気使用料金は不明のまま使用するものである。
【発明の開示】
【発明が解決しようとする課題】
【０００３】しかしながら、以上の技術によれば、個々の電化製品の電気使用料は分からず、電化製品ごとの料金内訳はまったくわからなかった。
そこで、この発明は、個々の電化製品の電気使用料を測定し表示する測定器を提供することを課題とする。
【課題を解決するための手段】
【０００４】  以上の課題を解決するために、第一発明は、電化製品に電気使用料金を測定し表示する部分を設ける又は接続するとこを特徴とする電気使用料金の測定器である。
また、第二発明は、電化製品のコンセントと建物のコンセントの間に電気の使用料金を測定し表示するデジタルメーターを設けることを特徴とする電気使用料金の測定器である。
また、第三発明は、電化製品のコンセントと建物のコンセント間に電気使用時間を測定し表示するデジタルメーターを設けることを特徴とする電気使用料金の測定器である。
また、第四発明は、電化製品自体に電気使用料金を測定し表示を設けることを特徴とする測定器である。
また、第五発明は、電化製品自体に電気使用時間を測定し表示を設けることを特徴とする測定器である。
【発明の効果】
【０００５】  第一発明、または第二発明〜第五発明によれば、搭載した電化製品又は接続した電化製品の電気使用料金が分かる。
【発明を実施するための最良の形態】
【０００６】  この発明の一実施形態を、図１に示す。
電気料測定器の本体の側面にはコンセント結合部が付いていてコンセントと接続するように設けられている。【０００７】「実施形態の効果」
この実施形態によれば、コンセント間に接続することにより電圧が流れ電気量を測定することができ電気使用料を測定することができる。【０００８】「他の実施形態」
図１〜図５の実施形態では、軽量型の電気使用料金の測定器を設ける形態であるが、電気使用料金を測定し表示することが目的であるため、他の実施形態では、延長コードに搭載したり電化製品本体に設けるものでも良い。
【図面の簡単な説明】
【０００９】
【図１】この発明の一実施形態を示す上部から視た図である。
【図２】この発明の一実施形態を示す上部から視た図に符号を付けた図である。
【図３】この発明の一実施形態を示す図１の側面図である。
【図４】この発明の一実施形態を示す使用方法の図である。
【図５】この発明の一実施形態を示す使用時の図である。
【符号の説明】
【００１０】１  コンセント接続部（凸）    ２  コンセント接続部（凹）
３  電源スイッチ              ４  カウンターリセット
５  タイムカウンター（分単位）６  料金カウンター（円単位）
【図１】
2009092636.tif 000003
【図２】
2009092636.tif 000004
【図３】
2009092636.tif 000005
【図４】
2009092636.tif 000006
【図５】
2009092636.tif 000007